(57)【特許請求の範囲】
【請求項１】
表示されるパノラマビデオデータにおけるナビゲーション用のコマンドを前記パノラマビデオデータに適用することで得られるビデオデータを表示する装置であって、前記コマンドは、ある視野を定義する視点の位置及び／又は向きの変更を指示し、
表示に従ってナビゲーション用のコマンドを定めるためにユーザにより操作される制御手段と、
所定のナビゲーション用のコマンドを生成する生成手段と、
前記制御手段から供給されるナビゲーション用のコマンド又は前記生成手段から供給される所定のナビゲーション用のコマンドのいずれか一方を、前記パノラマビデオデータに適用するために選択する選択手段と、
を有することを特徴とする装置。
【請求項２】
前記生成手段は、前記パノラマビデオデータと関連付けられ、前記ビデオデータに対応する一連のナビゲーション用のコマンドを含むファイルを生成する、
ことを特徴とする請求項１記載の装置。
【請求項３】
前記ファイルは、カメラの動きのパラメータが定められている前記パノラマビデオデータの記述ファイルであり、前記カメラの動きパラメータは、前記所定のナビゲーション用のコマンドを形成する、
ことを特徴とする請求項２記載の装置。
【請求項４】
前記パノラマビデオデータと、前記パノラマビデオデータと関連する所定のナビゲーション用のコマンドとを受信する受信器を更に有する、
ことを特徴とする請求項１記載の装置。
【請求項５】
表示されるパノラマビデオデータにおけるナビゲーション用のコマンドを前記パノラマビデオデータに適用することで得られるビデオデータを表示する方法であって、前記コマンドは、ある視野を定義する視点の位置及び／又は向きの変更を指示し、
ユーザにより操作される制御手段により、表示に従ってナビゲーション用のコマンドを定めるステップと、
生成手段により、所定のナビゲーション用のコマンドを生成するステップと、
選択手段により、前記定めるステップから供給されるナビゲーション用のコマンド又は前記生成するステップから供給される所定のナビゲーション用のコマンドのいずれか一方を、前記パノラマビデオデータに適用するために選択するステップと、
を含むことを特徴とする方法。
【請求項６】
前記生成手段は、カメラの動きパラメータが定められる前記パノラマビデオデータの記述ファイルを生成し、前記カメラの動きパラメータは、前記所定のナビゲーション用のコマンドを形成する、
ことを特徴とする請求項５記載の方法。
【請求項７】
パノラマビデオデータ及び前記パノラマビデオデータに関連する所定のナビゲーション用のコマンドを送信する送信器と、
前記パノラマビデオデータ及び前記関連する所定のナビゲーション用のコマンドを送信する送信ネットワークと、
前記パノラマビデオデータと前記パノラマビデオデータに関連する所定のナビゲーション用のコマンドとを受信する受信手段、表示に従ってナビゲーション用のコマンドを定めるためにユーザにより操作される制御手段、前記所定のナビゲーション用のコマンドを生成する生成手段、及び、前記制御手段から供給されるナビゲーション用のコマンド又は前記生成手段から供給される所定のナビゲーション用のコマンドのいずれか一方を、前記パノラマビデオデータに適用するために選択する選択手段を有する表示装置とを有し、
前記コマンドは、ある視野を定義する視点の位置及び／又は向きの変更を指示する、
ことを特徴とする送信システム。
【発明の詳細な説明】
【０００１】
【発明の属する技術分野】
本発明は、表示に従ってナビゲーションコマンドを定めるためにユーザによって操作されることが意図される制御デバイスを有し、パノラマビデオにナビゲーションコマンドを適用することによりビデオ配置を表示する装置に関わる。
【０００２】
本発明は、このような表示装置を有する送信システムにも関わる。
【０００３】
本発明は、パノラマビデオへのナビゲーションコマンドの適用、並びに、プロセッサによって実行されると方法を実行する命令を有するプログラムによるビデオ配置の表示方法に更に関わる。
【０００４】
このタイプの装置を用いることでユーザは、３６０°の景観で見たいものを正確に制御する。このような装置は幾つかの適用法を有する。このような装置は、例えば、アクションの一部を構成するような印象を与えつつフィルム又は番組を表示することを可能にする。更に、様々な場所への対話式バーチャルビジット、例えば、家、美術館等への対話式バーチャルビジットをユーザに提案することを可能にする。
【０００５】
【従来の技術】
欧州特許出願ＥＰ０９３０５８４Ａ２は、ある視野を定める視点の位置及び向きを変更することでユーザがパノラマ画像の中をナビゲートすることが可能となることを示す。
【０００６】
しかし、ユーザが自身で自身のナビゲーションを決めるとき、ユーザはプログラムの中で迷う危険性がある。これは、アクションの筋が分からなくなる危険性を有するため、フィルムのような番組或いはイベントの再現をユーザが表示するとき特に面倒である。
【０００７】
【発明が解決しようとする課題】
本発明は、この欠点を克服することを目的とする。
【０００８】
【課題を解決するための手段】
この目的は、本出願の請求項１、請求項５、請求項７、及び、請求項８に夫々記載されている表示装置、表示方法、送信プログラム、及び、システムを用いて実現される。
【０００９】
本発明によると、選択デバイスによりユーザ自身によって定められたナビゲーション、又は、所定のナビゲーションのいずれかをパノラマビデオに適用することが可能となる。
【００１０】
第１の実施例では、選択はユーザによって制御される。例として、パノラマビデオの中を自由にナビゲートするユーザが、アクションに再び焦点を当てるために所定のナビゲーションを適用することをいつでも選ぶことができる。ユーザは、望むときに手動の制御を再開することができる。
【００１１】
第２の実施例では、選択は自動的に制御される。例として、所定のナビゲーションはある所定の瞬間に適用され、これら所定の瞬間の間ではナビゲーションはユーザによって自由に決められる。
【００１２】
上記欧州特許出願ＥＰ０９３０５８４Ａ２は、アニメーションを作る別の方法が、ある視点から予め定められている一連の位置及び向きでナビゲートすることであると記載することに注意する。しかしこのナビゲーションモードは、ユーザが対話する可能性を全て排除する。
【００１３】
本発明は、ユーザによって自由に定められたナビゲーションコマンドと、所定のナビゲーションコマンドとを組み合わせて使用することを提案する。本発明は、従来技術において引用された２つのモードのナビゲーションの夫々の利点から恩恵を受けることを可能にする。
【００１４】
所定のナビゲーションコマンドは、夫々上記パノラマビデオに関連し、パノラマビデオの特定の配置に対応する一連のナビゲーションコマンドを夫々含む一つ以上のファイルによって形成される。このようなファイルは、例えば、カメラの動きパラメータが定められている上記パノラマビデオの記述ファイルであり、このカメラの動きパラメータは上記所定のナビゲーションコマンドを形成する。このようなファイルは、例えば、ＭＰＥＧ−７規格に従う。
【００１５】
【発明の実施の形態】
本発明の上記及びそれ以外の他の面は、以降に説明する実施例を参照して非制限的な例として明らかとなり明確になるであろう。
【００１６】
図１では、パノラマビデオへのナビゲーションコマンドの適用を介してパノラマビデオの配置を表示する本発明による装置の例の一般的な機能図が示される。
【００１７】
表示装置Ｅは、パノラマビデオ源ＶＳを有する。この源ＶＳは、ビデオデータＶＤを供給し、ビデオデータＶＤは、上記パノラマビデオの組立体ＶＭを形成することを意図する取り付けデバイスＭＣに送信される。
【００１８】
装置Ｅは、表示に従ってナビゲーションコマンドＵＮを定めるためにユーザによって操作されることが意図される制御デバイスＣＴＲＬを有する。この制御デバイスは、例えば、マウスによって形成される。
【００１９】
装置Ｅは、所定のナビゲーションコマンド源ＰＳも有する。図１では、この源ＰＳは、ＰＮ１及びＰＮ２と称される２つのシーケンスのナビゲーションコマンドを伝達する。
【００２０】
ナビゲーションコマンドＵＮ、ＰＮ１、及び、ＰＮ２は、選択デバイスＳＬＴに供給される。選択デバイスは、ユーザによって定められるナビゲーションコマンドＵＮか、ナビゲーションコマンド源ＰＳによって生成される所定のナビゲーションコマンドＰＮ１及びＰＮ２のシーケンスのいずれか一つを選択するためにコマンドＣＤＥを受信する。選択デバイスＳＬＴは、選択されたナビゲーションコマンドを組立体ＭＣに供給する。
【００２１】
コマンドＣＤＥは、ユーザコマンド、又は、自動コマンドのいずれか一方によって形成される。コマンドＣＤＥがユーザコマンドであるとき、ユーザは、組立体ＭＣに供給されるべきナビゲーションコマンドをいつでも選ぶことができる。より特定的には、ユーザは、所定のナビゲーションコマンドを用いてアクションに再び焦点を当てる可能性がある。コマンドＣＤＥが自動コマンドであるとき、所定のナビゲーションコマンドＰＮ１又はＰＮ２が例えば、ある所定の瞬間に供給され、その間でコマンドがユーザによって定められるナビゲーションコマンドＵＮが適用される。本実施例は、ユーザの視野を変更するために課せられる上記視点の間でユーザが自由にナビゲートすることができるよう、ナビゲーション用ガイドをユーザに供給することを可能にする。課された視点は、プログラムの重要なイベントに有利には対応する。従って、ユーザがアクションの筋が分からなくなる危険がもはやない。
【００２２】
図２では、本発明による装置Ｅ’の好ましい実施例の機能図が示される。図２によると、装置Ｅ’は、上記パノラマビデオを表示するＭＰＥＧ−４フォーマットで符号化されたデータＣ４を受信する受信器ＲＸを有する（ＭＰＥＧ−４はＩＳＯによって定義されるオーディオ／ビデオオブジェクトに対する符号化規格である）。装置Ｅ’は、符号化されたデータＣ４を復号化するＭＥＰＧ−４復号器ＤＥＣ４を更に有する。復号器ＤＥＣ４の出力から伝達される復号化されたデータＤ４は、取り付けデバイスＭＣ’に供給される。
【００２３】
受信器ＲＸは、データＣ４に関連し、ＭＰＥＧ−７フォーマットで符号化され、所定のナビゲーションコマンドを含むデータＣ７も有利には受信する（ＭＰＥＧ−７はある数のビデオコンテンツ記述子、特に、カメラ動き記述子を定めるＩＳＯによって定義されたビデオのコンテンツを記述する規格であり、本発明によると、ＭＰＥＧ−７ファイルに含まれるカメラ動き記述子は所定のナビゲーションコマンドとして有利に使用される）。装置Ｅ’は、データＣ７を復号化し所定のナビゲーションコマンドを抽出する復号器ＤＥＣ７を有する。図２では、データＣ７は、２つのＭＰＥＧ−７ファイルＦ１及びＦ２によって形成される。これら２つのファイルＦ１及びＦ２は、復号器ＤＥＣ７の入力に供給される。復号器ＤＥＣ７は、ファイルＦ１及びＦ２を復号化し、そこから２つの所定のナビゲーションコマンドシーケンスＰＦ１及びＰＦ２を抽出する。２つの所定のナビゲーションコマンドシーケンスは、選択デバイスＳＬＴ’に供給される。選択デバイスＳＬＴ’は、ユーザによって定められるナビゲーションコマンドＵＮ、又は、復号器ＤＥＣ７によって供給される所定のナビゲーションコマンドシーケンスＰＦ１及びＰＦ２のいずれか一方を選択するためにコマンドＣＤＥ’を受信する。選択デバイスＳＬＴ’は、選択されたナビゲーションコマンドを組立体ＭＣ’に供給する。
【００２４】
図３では、本発明による送信システムが示され、この送信システムは、
パノラマビデオを表示するデータ（例えば、ＭＰＥＧ−４フォーマットで符号化されたデータ）と、上記パノラマビデオに関連する所定のナビゲーションコマンド（例えば、このような所定のナビゲーションコマンドを含むＭＰＥＧ−７フォーマットの一つ以上のファイル）を送信する送信器ＴＸと、
転送ネットワーク（ＮＥＴ）と、
パノラマビデオ組立体の表示装置（例えば、図２に関して説明したタイプの装置Ｅ’）とを有する。
【００２５】
本発明の別の実施例（図示せず）では、パノラマビデオを表示するデータと関連する所定のナビゲーションコマンドとは、表示装置によって読取られることが意図される媒体（例えば、ディスク）に記憶される。
【００２６】
実際には、本発明は、ソフトウェア手段を用いて利用される。この目的のために、本発明による装置は、一つ以上のプロセッサと、一つ以上のプログラム記憶メモリとを有し、上記プログラムは、上記プロセッサによって実行されたときに上記機能を使用するための命令を含む。
【図面の簡単な説明】
【図１】本発明による表示装置の例の一般的な機能図である。
【図２】本発明による表示装置の好ましい実施例の機能図である。
【図３】本発明による送信システムの例を示すブロック図である。
【図１】
0004460818.tif 000002
【図２】
0004460818.tif 000003
【図３】
0004460818.tif 000004